(57)【要約】  【課題】  動弁フリクションの大きいエンジン始動時に、制御軸１２のハンチング現象を防止する。  【解決手段】  制御軸の回転位置に応じて吸気弁（又は排気弁）のリフト特性を連続的に変更可能なリフト・作動角可変機構を備える。ファストアイドル運転域Ｄ２等では、制御軸の回転位置の検出値と目標値との偏差に基づくフィードバック制御モードＭ２により制御軸アクチュエータへの指令信号（のＤＵＴＹ）を演算する。但し、エンジン初爆から完爆までの回転数上昇過渡期Ｄ１には、始動用制御モードＭ１として、上記のフィードバック制御モードＭ２に比して指令信号の振動を低減させる。  【選択図】  図４
2005273544.tif 000002
【特許請求の範囲】
【請求項１】
内燃機関の吸気弁又は排気弁のリフト特性を連続的に変更可能な可変動弁機構と、
指令信号に応じて作動し、上記可変動弁機構によるリフト特性を変更するアクチュエータと、
上記リフト特性の検出値を検出する検出手段と、
機関運転状態に応じて上記リフト特性の目標値を演算する目標値演算手段と、
上記検出値と目標値との偏差に基づいて上記指令信号を演算するフィードバック制御モードと、
エンジン始動時の所定期間、上記フィードバック制御モードに比して上記指令信号の振動成分を低下させる始動用制御モードと、
を有する可変動弁機構の制御装置。
【請求項２】
制御軸の回転位置に応じて内燃機関の吸気弁又は排気弁のリフト特性を連続的に変更可能な可変動弁機構と、
指令信号に応じて作動して上記制御軸の回転位置を変更する制御軸アクチュエータと、
上記リフト特性に対応する制御軸の回転位置の検出値を検出する検出手段と、
機関運転状態に応じて上記リフト特性の目標値を演算する目標値演算手段と、
上記検出値と目標値との偏差に基づいて上記指令信号を演算するフィードバック制御モードと、
エンジン始動時におけるエンジン初爆からエンジン完爆までの回転上昇過渡期に、上記フィードバック制御モードに比して上記指令信号の振動成分を低下させる始動用制御モードと、
を有する可変動弁機構の制御装置。
【請求項３】
上記可変動弁機構が、
クランクシャフトにより回転駆動される駆動軸と、
この駆動軸に揺動可能に嵌合し、吸・排気弁を開閉作動させる揺動カムと、
上記駆動軸に偏心して設けられた駆動偏心カム部と、
上記制御軸に偏心して設けられた制御偏心カム部と、
この制御偏心カム部に揺動可能に嵌合するロッカアームと、
上記駆動偏心カム部とロッカアームの一端とを連係する第１のリンクと、
上記揺動カムとロッカアームの他端とを連係する第２のリンクと、
を有する請求項２に記載の可変動弁機構の制御装置。
【請求項４】
上記始動用制御モードでは、上記検出手段による検出値にローパスフィルタを通した値と目標値との偏差に基づいて上記指令信号を演算する請求項１〜３のいずれかに記載の可変動弁機構の制御装置。
【請求項５】
上記始動用制御モードでは、上記指令信号を目標値に固定する請求項１〜３のいずれかに記載の可変動弁機構の制御装置。
【発明の詳細な説明】
【技術分野】
【０００１】
本発明は、内燃機関の吸気弁又は排気弁（以下、吸・排気弁と呼ぶ）のリフト特性を連続的に変更可能な可変動弁機構の制御装置に関する。
【背景技術】
【０００２】
特許文献１及び特許文献２には、制御軸の回転位置に応じて吸・排気弁のリフト特性を連続的に変更可能な可変動弁機構が開示されている。この可変動弁機構は、クランクシャフトにより回転駆動される駆動軸と、バルブスプリング反力に抗して吸・排気弁を開閉作動させる揺動カムとを複数のリンク部品により連係し、これらリンク部品の一つであるロッカアームの姿勢を制御軸の回転位置に応じて変化させることにより、吸・排気弁の作動角及びバルブリフト量（最大リフト量）を連続的に変更することができる。リフト特性に対応する制御軸の回転位置は制御軸センサにより検出され、この検出値と目標値との偏差に基づくフィードバック制御により、制御軸の回転位置を変更するアクチュエータの動作が制御される。
【特許文献１】特開２００３−７４３１８号公報
【特許文献２】特開２００１−２６３１０３号公報
【発明の開示】
【発明が解決しようとする課題】
【０００３】
このような可変動弁機構に特有の課題として、エンジン始動時には、エンジン回転数が低く潤滑が不十分となり易いので、動弁フリクションが著しく大きくなる。従って、エンジン始動時には、制御軸を回転駆動するアクチュエータの駆動力・負荷（電力や油圧）が非常に大きくなる。このため、制御軸が比較的大きく振動することがあり、上記のようにフィードバック制御を行っていると、この振動成分が更に増幅されて、いわゆる制御ハンチングを生じるおそれがある。このような制御ハンチングにより、可変動弁機構の挙動が安定せず、エンジンの始動安定性を阻害するおそれがある。特に、特許文献１のように、エンジン始動時で用いられるような小リフト特性の設定状態で制御軸の分解能を向上させている場合、上述した制御ハンチングを更に招き易くなってしまう。
【０００４】
特許文献２には、作動角制御の定常領域制御時には、制御軸アクチュエータへの制御信号（指令信号）の振動成分を低減させ、制御ハンチングを防止する技術が開示されている。しかしながら、この特許文献２では、動弁反力に起因する制御ハンチングに関するものであり、エンジン始動時における動弁フリクションに起因する制御ハンチングについては何ら考慮されていない。
【課題を解決するための手段】
【０００５】
内燃機関の吸気弁又は排気弁のリフト特性を連続的に変更可能な可変動弁機構と、指令信号に応じて作動し、上記可変動弁機構によるリフト特性を変更するアクチュエータと、上記リフト特性の検出値を検出する検出手段と、機関運転状態に応じて上記リフト特性の目標値を演算する目標値演算手段と、上記検出値と目標値との偏差に基づいて上記指令信号を演算するフィードバック制御モードと、エンジン始動時の所定期間、上記フィードバック制御モードに比して上記指令信号の振動成分を低下させる始動用制御モードと、を有する。
【発明の効果】
【０００６】
エンジン始動時の所定期間、始動用制御モードによりフィードバック制御モードに比して指令信号の振動成分を低下させているため、エンジン始動時での動弁フリクションに起因する制御ハンチングを防止し、安定したエンジン始動性を確保することができる。
【発明を実施するための最良の形態】
【０００７】
以下、本発明の好ましい実施の形態を図面に基づいて説明する。図１は、可変動弁機構全体の構成を示す構成説明図である。この可変動弁機構は、吸気弁のリフト・作動角を変化させるリフト・作動角可変機構１により構成されている。このリフト・作動角可変機構１は、本出願人が先に提案したものであるが、例えば前述の特許文献１や特許文献２等によって公知となっているので、その概要のみを説明する。
【０００８】
リフト・作動角可変機構１は、シリンダヘッド（図示せず）に摺動自在に設けられた吸気弁１１と、シリンダヘッド上部のカムブラケット（図示せず）に回転自在に支持された駆動軸２と、この駆動軸２に、圧入等により固定された駆動偏心カム部３と、駆動軸２の上方位置に同じカムブラケットによって回転自在に支持されるとともに駆動軸２と平行に配置された制御軸１２と、この制御軸１２の制御偏心カム部１８に揺動自在に支持された中間部材としてのロッカアーム６と、各吸気弁１１の上端部に配置されたタペット１０に当接する揺動カム９と、を備えている。上記駆動偏心カム部３とロッカアーム６の一端とは第１のリンクとしてのリンクアーム４によって連係されており、ロッカアーム６の他端と揺動カム９とは、第２のリンクとしてのリング状リンク８によって連係されている。
【０００９】
上記駆動軸２は、図示せぬタイミングチェーンないしはタイミングベルトを介して機関のクランクシャフトによって軸周りに回転駆動される。上記駆動偏心カム部３は、円形外周面を有し、該外周面の中心が駆動軸２の軸心から所定量だけオフセットしているとともに、この外周面に、リンクアーム４の環状部が回転可能に嵌合している。上記ロッカアーム６は、略中央部が上記制御偏心カム部１８によって揺動可能に支持されており、その一端部に、連結ピン５を介して上記リンクアーム４のアーム部が連係しているとともに、他端部に、連結ピン７を介して上記リング状リンク８の上端部が連係している。上記制御偏心カム部１８は、制御軸１２の軸心から偏心しており、従って、制御軸１２の角度位置に応じてロッカアーム６の揺動中心は変化する。
【００１０】
上記揺動カム９は、駆動軸２の外周に嵌合して回転自在に支持されており、側方へ延びた端部に、連結ピン１７を介して上記リング状リンク８の下端部が連係している。この揺動カム９の下面には、駆動軸２と同心状の円弧をなす基円面と、該基円面から所定の曲線を描いて延びるカム面と、が連続して形成されており、これらの基円面ならびにカム面が、揺動カム９の揺動位置に応じてタペット１０の上面に当接するようになっている。すなわち、上記基円面はベースサークル区間として、リフト量が０となる区間であり、揺動カム９が揺動してカム面がタペット１０に接触すると、徐々にリフトしていくことになる。
【００１１】
上記制御軸１２は、図１に示すように、一端部に設けられた制御軸アクチュエータ１３によって所定角度範囲内で回転するように構成されている。この制御軸アクチュエータ１３は、例えばサーボモータのような電動モータからなり、機械的連動機構、例えばウォーム１５ａとウォームホイール１５ｂとからなるウォームギア機構１５を介して、制御軸１２を駆動している。吸気弁のリフト特性（作動角及びバルブリフト量）に対応する制御軸１２の回転角度・回転位置は、回転角度センサつまり制御軸センサ１４によって検出されている（検出手段）。
【００１２】
エンジン制御部２１は、ＣＰＵ，ＲＯＭ，ＲＡＭ及び入出力インターフェースを備えた周知のデジタルコンピュータであり、各種制御処理を記憶及び実行する機能を有する。後述するように、エンジン制御部２１は、制御軸アクチュエータ１３へ指令信号・制御信号としてのＤＵＴＹ信号を出力して、このアクチュエータ１３の動作を制御する。このアクチュエータ１３により制御軸１２の回転位置が変更及び保持され、吸気弁のリフト特性（作動角及びバルブリフト量）が変化する。
【００１３】
このリフト・作動角可変機構１の作用を簡単に説明すると、駆動軸２が回転すると、駆動偏心カム部３のカム作用によってリンクアーム４の位置が変化し、これに伴ってロッカアーム６が揺動する。このロッカアーム６の揺動は、リング状リンク８を介して揺動カム９へ伝達され、該揺動カム９が揺動する。この揺動カム９のカム作用によって、タペット１０が押圧され、図示せぬバルブスプリングのばね力に抗して吸気弁１１がリフトする。
【００１４】
制御軸アクチュエータ１３により制御軸１２の回転位置（角度）を変更すると、ロッカアーム６の揺動運動の中心位置が動いて該ロッカアーム６の初期位置が変化し、ひいては揺動カム９の初期揺動位置が変化する。例えば制御偏心カム部１８が図の上方へ位置しているとすると、ロッカアーム６は全体として上方へ位置し、揺動カム９の連結ピン１７側の端部が相対的に上方へ引き上げられた状態となる。つまり、揺動カム９の初期位置は、そのカム面がタペット１０から離れる方向に傾く。従って、駆動軸２の回転に伴って揺動カム９が揺動した際に、基円面が長くタペット１０に接触し続け、カム面がタペット１０に接触する期間は短い。従って、リフト量が全体として小さくなり、かつその開時期から閉時期までの角度範囲つまり作動角も縮小する。逆に、制御偏心カム部１８が図の下方へ位置しているとすると、ロッカアーム６は全体として下方へ位置し、揺動カム９の連結ピン１７側の端部が相対的に下方へ押し下げられた状態となる。つまり、揺動カム９の初期位置は、そのカム面がタペット１０に近付く方向に傾く。従って、駆動軸２の回転に伴って揺動カム９が揺動した際に、タペット１０と接触する部位が基円面からカム面へと直ちに移行する。従って、リフト量が全体として大きくなり、かつその作動角も拡大する。上記の制御偏心カム部１８の初期位置は連続的に変化させ得るので、これに伴って、バルブリフト特性は、連続的に変化する。つまり、リフトならびに作動角を、両者同時に、連続的に拡大，縮小させることができる。各部のレイアウトによるが、例えば、リフト・作動角の大小変化に伴い、吸気弁１１の開時期と閉時期とがほぼ対称に変化する。
【００１５】
このようなリフト・作動角可変機構１にあっては、図５に示すように、エンジン回転数が所定値（例えば１５００ｒｐｍ程度）以下の低回転域では、滑り軸受等の潤滑部分への潤滑が不十分となり易く、リフト・作動角可変機構１を構成する駆動軸２，制御軸１２及び各種リンク部品等の動弁フリクションが中・高回転域に比して著しく大きくなる。特にエンジン始動時には、クランクシャフトの回転が停止している状態、つまりリフト・作動角可変機構１を構成する駆動軸２，制御軸１２及び各種リンク部品等を静止している状態から作動させる必要があり、かつ、潤滑も不十分であるため、動弁フリクションが更に大きくなる。従って、エンジン始動時には、制御軸１２の回転位置を変更・保持するために、制御軸アクチュエータ１３に大きな駆動エネルギーを必要とする。このようにエンジン始動時には制御軸アクチュエータ１３への負荷が大きくなるので、制御軸１２の制御収束性が低下し、制御軸１２が不用意に大きく振動する、いわゆる制御ハンチング現象を招き、エンジン始動安定性を損ねるおそれがある。
【００１６】
特に、上記特許文献１のように、低回転域ほど制御軸の分解能が高くなる構造の場合、低回転域でのリフト特性の分解能を向上できる反面、エンジン始動時には制御収束性が更に低下し、上述したハンチング現象を招き易くなる。
【００１７】
そこで、エンジン始動時の所定期間である回転上昇過渡期Ｄ１に、通常のフィードバック制御モードとは異なる始動用制御モードにより制御軸１２を駆動制御することにより、上記の問題を解決している。以下、図２〜４を参照してエンジン始動時の制御の流れについて詳細に説明する。
【００１８】
図３及び図４に示すように、エンジン始動時におけるエンジン回転数は、燃料噴射前のスタータモータによりクランクシャフトを回転駆動しているクランキング期間Ｄ０ではクランキング回転数Ｎｅ１（例えば、約２００ｒｐｍ）近傍に維持され、その後、エンジン初爆からエンジン完爆まで、より詳しくはエンジン初爆直後からエンジン完爆を経て完爆保持に至る回転上昇過渡期Ｄ１に、可変動弁制御開始回転数Ｎｅ２（例えば、約４００ｒｐｍ）、動弁フリクション安定回転数Ｎｅ３（例えば、５００〜６００ｒｐｍ）、ファストアイドル回転数Ｎｅ５（例えば、１２００〜１３００ｒｐｍ）を超えるまで急速に上昇した後、ファストアイドル回転数Ｎｅ５近傍に維持される。その後、典型的には、始動安定性のためにファストアイドル運転Ｄ２を所定期間行った後、通常のアイドル回転数Ｎｅ４（例えば、６００〜７００ｒｐｍ）に戻される。
【００１９】
上記の動弁フリクション安定回転数Ｎｅ３は、動弁フリクションに抗して制御軸１２を良好に駆動し得るエンジン回転数の下限値に相当する。可変動弁制御開始回転数Ｎｅ２は、この動弁フリクション安定回転数Ｎｅ３よりも低く、かつ、クランキング回転数Ｎ１よりも高い値に設定されている。
【００２０】
図２は、エンジン始動時の制御の流れを簡略的に示すフローチャートである。本ルーチンは、エンジンの始動要求が検出されると開始され、エンジン制御部２１により繰り返し実行される。
【００２１】
先ず、ステップ１０では、機関運転状態に基づいて、吸気弁のリフト特性に対応する制御軸回転位置の目標値が演算される（目標値演算手段）。この目標値に基づいて制御軸アクチュエータ１３への指令信号のＤＵＴＹ（比）が設定される。なお、回転上昇過渡期Ｄ１の目標値（例えば、１２０〜１３５ＣＡ）は、吸入空気量を確実に確保して始動安定性を向上させるために、ファストアイドル運転域Ｄ２やアイドル運転域の目標値（例えば、約１００ＣＡ）に比して高く設定される。
【００２２】
ステップ１１では、エンジン回転数が、所定の可変動弁制御開始回転数Ｎｅ２以上であるかを判定する。仮にスタータモータによるクランキング期間Ｄ０にアクチュエータ１３による制御軸１２の駆動を開始すると、スタータモータの負荷に加えて、制御軸アクチュエータ１３の負荷が加わることとなり、スタータモータ及び制御軸アクチュエータ１３の駆動安定性の低下を招くおそれがあるので、可変動弁制御開始回転数Ｎｅ２に達するまで、制御軸１２の駆動開始を禁止している。すなわち、この可変動弁制御開始回転数Ｎｅ２は、クランキング回転数Ｎｅ１よりもわずかに高い値であり、燃料噴射を開始してエンジン回転数がクランキング回転数Ｎｅ１から急速に上昇し始める初爆直後の回転数に相当する。
【００２３】
可変動弁制御開始回転数Ｎｅ２に達すると、ステップ１１からステップ１２へ進み、後述する始動用制御モードＭ１により制御軸１２を回転駆動する。
【００２４】
ステップ１３では、完爆保持状態となったかを判定する。具体的には、エンジン回転数が一旦ファストアイドル回転数Ｎｅ５を超えてからファストアイドル回転数Ｎｅ５まで低下して、上記の回転上昇過渡期Ｄ１からエンジン完爆保持状態であるファストアイドル運転Ｄ２へ切り替わるときにステップ１３の判定が肯定されることとなる。
【００２５】
回転上昇過渡期Ｄ１からファストアイドル運転Ｄ２へ移行すると、ステップ１３からステップ１４へ進み、フィードバック制御モードＭ２を開始する。このフィードバック制御モードＭ２では、制御軸センサ１４により検出される制御軸回転位置の検出値と、上記ステップ１０で演算された目標値との偏差に基づいて、制御軸アクチュエータ１３への指令信号のＤＵＴＹ（比）が演算される。例えば、特許文献２に開示されているように、偏差に比例した信号を発生するＰ動作，偏差の積分を発生するＩ動作、微分値に比例した信号を発生するＤ動作を組み合わせたＰＩＤ制御によりＤＵＴＹを演算する。典型的には、上記の回転上昇過渡期Ｄ１を除く全ての運転域で、フィードバック制御モードＭ２が行われる。
【００２６】
上記のステップ１２における始動用制御モードＭ１では、制御収束性を向上させるために、上記のフィードバック制御モードＭ２に比して、指令信号の振動を低下させている。例えば、図３に示す第１実施例では、制御軸センサ１４による制御軸回転位置の検出値にローパスフィルタを通した値を用いて、フィードバック制御を行う。つまり、検出値にローパスフィルタを通した値と目標値との偏差に基づいて指令信号のＤＵＴＹを演算している。ローパスフィルタは、例えば周知の一次遅れ処理、加重平均処理やなまし処理等によりソフトウェア的に実現することができる。
【００２７】
このように始動用制御モードＭ１では、ローパスフィルタを通した後の検出値を用いることにより、ローパスフィルタを通さない検出値を用いるフィードバック制御モードＭ２の場合に比して、意図的に制御軸角度の振れに対する制御感度を鈍らせており、つまりサンプルレートを低減させており、その結果、ＤＵＴＹ信号の振動を抑制して、いわゆる制御軸のハンチング現象を抑制・防止することができる。また、エンジン制御部２１上の演算処理・ソフトウェアによりローパスフィルタをかけることができ、敢えてハードウェアを追加する必要がないので、コストの増加を招くことはない。
【００２８】
図４は、第２実施例に係る始動用制御モードＭ１を適用したタイムチャートである。この第２実施例の始動用制御モードＭ１では、検出値を用いたフィードバック制御を禁止し、目標値へ向けたオープン制御により制御軸を駆動制御する。すなわち、制御軸アクチュエータ１３へ出力する指令信号のＤＵＴＹを、回転上昇過渡期Ｄ２での目標値に相当する所定の始動時ＤＵＴＹに固定している。従って、回転上昇過渡期Ｄ２がＤＵＴＹ一定区間となる。
【００２９】
このように、始動用制御モードＭ１では、フィードバック制御を禁止して、指令信号のＤＵＴＹを目標値に相当する始動時ＤＵＴＹに固定しているので、指令信号が一定の値となり、制御軸のハンチング現象をより確実に回避することができる。
【００３０】
以上のように本発明を具体的な実施例に基づいて説明してきたが、本発明は上記実施例に限定されるものではなく、その趣旨を逸脱しない範囲で、種々の変形・変更を含むものである。例えば、上記実施例では吸気弁の動弁系に本発明を適用しているが、同様に排気弁の動弁系に本発明を適用することもできる。また、上記実施例では可変動弁機構としてリフト・作動角可変機構１を用いているが、これに限らず、ハンチング現象を招くおそれのある可変動弁機構に同様に適用することができる。更に、上記実施例でのローパスフィルタに代えて、リミッタ処理を行うようにしても良い。
【００３１】
以上の説明より把握し得る本発明の技術的思想について列記する。
【００３２】
（１）内燃機関の吸気弁１１又は排気弁のリフト特性を連続的に変更可能な可変動弁機構（リフト・作動角可変機構）１と、指令信号に応じて作動し、上記可変動弁機構１によるリフト特性を変更するアクチュエータ１３と、上記リフト特性の検出値を検出する検出手段（制御軸センサ１４）と、機関運転状態に応じて上記リフト特性の目標値を演算する目標値演算手段（ステップ１０）と、上記検出値と目標値との偏差に基づいて上記指令信号を演算するフィードバック制御モードＭ２（ステップ１４）と、エンジン始動時の所定期間Ｄ１、上記フィードバック制御モードＭ２に比して上記指令信号の振動成分を低下させる始動用制御モードＭ１（ステップ１２）と、を有する可変動弁機構の制御装置。
【００３３】
（２）制御軸１２の回転位置に応じて内燃機関の吸気弁１１又は排気弁のリフト特性を連続的に変更可能な可変動弁機構（リフト・作動角可変機構）１と、指令信号に応じて作動して上記制御軸１２の回転位置を変更する制御軸アクチュエータ１３と、上記リフト特性に対応する制御軸１２の回転位置の検出値を検出する検出手段（制御軸センサ１４）と、機関運転状態に応じて上記リフト特性の目標値を演算する目標値演算手段（ステップ１０）と、上記検出値と目標値との偏差に基づいて上記指令信号を演算するフィードバック制御モードＭ２（ステップ１４）と、エンジン始動時におけるエンジン初爆からエンジン完爆までの回転上昇過渡期Ｄ１に、上記フィードバック制御モードＭ２に比して上記指令信号の振動成分を低下させる始動用制御モードＭ１と、を有する可変動弁機構の制御装置。
【００３４】
（３）上記可変動弁機構（リフト・作動角可変機構）１が、クランクシャフトにより回転駆動される駆動軸２と、この駆動軸２に揺動可能に嵌合し、吸・排気弁を開閉作動させる揺動カム９と、上記駆動軸２に偏心して設けられた駆動偏心カム部３と、上記制御軸１２に偏心して設けられた制御偏心カム部１８と、この制御偏心カム部１８に揺動可能に嵌合するロッカアーム６と、上記駆動偏心カム部３とロッカアーム６の一端とを連係する第１のリンク４と、上記揺動カム１８とロッカアーム６の他端とを連係する第２のリンク８と、を有する。
【００３５】
（４）上記始動用制御モードＭ１では、上記検出手段による検出値にローパスフィルタを通した値と目標値との偏差に基づいて上記指令信号を演算する。
【００３６】
（５）上記始動用制御モードＭ１では、上記指令信号を目標値に固定する。
【図面の簡単な説明】
【００３７】
【図１】本発明に係る可変動弁機構としてのリフト・作動角可変機構を示す斜視図。
【図２】本発明に係るエンジン始動制御の流れを示すフローチャート。
【図３】始動用制御モードでローパスフィルタを用いる第１実施例に係るタイミングチャート。
【図４】始動用制御モードでＤＵＴＹ一定運転を行う第２実施例に係るタイミングチャート。
【図５】エンジン回転数と動弁フリクションとの関係を示す特性図。
【符号の説明】
【００３８】
１…リフト・作動角可変機構（可変動弁機構）
２…駆動軸
１２…制御軸
１３…制御軸アクチュエータ
１４…制御軸センサ
２１…エンジン制御部
【図１】
2005273544.tif 000003
【図２】
2005273544.tif 000004
【図３】
2005273544.tif 000005
【図４】
2005273544.tif 000006
【図５】
2005273544.tif 000007